(57)【要約】  本発明はシステムブロードキャスト情報の指示方法、ネットワーク装置、端末装置及びコンピュータ記憶媒体を開示し、方法は、システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む。
2021516470.tif 000002
【特許請求の範囲】
【請求項１】
ネットワーク装置に適用されるシステムブロードキャスト情報の指示方法であって、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む方法。
【請求項２】
前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む請求項１に記載の方法。
【請求項３】
前記システムブロードキャスト情報変更指示は、
少なくとも１つのＳＩＢグループに対応するシステムブロードキャスト情報の変更指示を含む請求項１に記載の方法。
【請求項４】
前記ＳＩＢのグループ構成情報が、システムブロードキャストによって構成されるステップをさらに含む請求項３に記載の方法。
【請求項５】
すべてのタイプのシステムブロードキャスト情報に対して、対応するシステムブロードキャスト情報変更指示を前記ページングメッセージに設定するステップをさらに含む請求項３に記載の方法。
【請求項６】
端末装置に適用されるシステムブロードキャスト情報の指示方法であって、
ネットワーク側から送信されるページングメッセージを受信するステップと、
前記ページングメッセージから、前記少なくとも１種類のシステムブロードキャスト情報に関するシステムブロードキャスト情報変更指示を読み取るステップと、を含む方法。
【請求項７】
前記した前記ページングメッセージから、前記少なくとも１種類のシステムブロードキャスト情報に関するシステムブロードキャスト情報変更指示を読み取った後に、
前記システムブロードキャスト情報変更指示に示されるシステムブロードキャスト情報が、前記端末装置が更新する必要があるシステムブロードキャスト情報である場合、システムブロードキャスト情報を再取得するステップをさらに含む請求項６に記載の方法。
【請求項８】
前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む請求項７に記載の方法。
【請求項９】
前記システムブロードキャスト情報変更指示は、
少なくとも１つのＳＩＢグループに対応するシステムブロードキャスト情報の変更指示を含む請求項７に記載の方法。
【請求項１０】
システムブロードキャストによってＳＩＢのグループ構成情報を取得するステップをさらに含む請求項９に記載の方法。
【請求項１１】
前記した前記ページングメッセージから、前記少なくとも１種類のシステムブロードキャスト情報に関するシステムブロードキャスト情報変更指示を読み取った後に、
前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得しないステップと、
前記システムブロードキャスト情報変更指示が、ＭＩＢ及びＲＭＳＩに関するマスターシステムブロードキャスト情報の変更指示に対応する場合、システムブロードキャスト情報を再取得するステップと、をさらに含む請求項６に記載の方法。
【請求項１２】
ネットワーク装置であって、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定する第１処理ユニットを備えるネットワーク装置。
【請求項１３】
前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む請求項１２に記載のネットワーク装置。
【請求項１４】
前記システムブロードキャスト情報変更指示は、
少なくとも１つのＳＩＢグループに対応するシステムブロードキャスト情報の変更指示を含む請求項１２に記載のネットワーク装置。
【請求項１５】
前記ＳＩＢのグループ構成情報が、システムブロードキャストによって構成される第１通信ユニットをさらに備える請求項１４に記載のネットワーク装置。
【請求項１６】
前記第１処理ユニットは、すべてのタイプのシステムブロードキャスト情報に対して、対応するシステムブロードキャスト情報変更指示を前記ページングメッセージに設定する請求項１４に記載のネットワーク装置。
【請求項１７】
端末装置であって、
ネットワーク側から送信されるページングメッセージを受信する第２通信ユニットと、
前記ページングメッセージから、前記少なくとも１種類のシステムブロードキャスト情報に関するシステムブロードキャスト情報変更指示を読み取る第２処理ユニットと、を備える端末装置。
【請求項１８】
前記第２処理ユニットは、前記システムブロードキャスト情報変更指示に示されるシステムブロードキャスト情報が、前記端末装置が更新する必要があるシステムブロードキャスト情報である場合、第２通信ユニットによってシステムブロードキャスト情報を再取得する請求項１７に記載の端末装置。
【請求項１９】
前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む請求項１８に記載の端末装置。
【請求項２０】
前記システムブロードキャスト情報変更指示は、
少なくとも１つのＳＩＢグループに対応するシステムブロードキャスト情報の変更指示を含む請求項１８に記載の端末装置。
【請求項２１】
前記第２通信ユニットは、システムブロードキャストによってＳＩＢのグループ構成情報を取得する請求項２０に記載の端末装置。
【請求項２２】
前記第２処理ユニットは、前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得せず、
前記システムブロードキャスト情報変更指示が、ＭＩＢ及びＲＭＳＩに関するマスターシステムブロードキャスト情報の変更指示に対応する場合、システムブロードキャスト情報を再取得する請求項１７に記載の端末装置。
【請求項２３】
ネットワーク装置であって、プロセッサと、プロセッサにおける実行可能なコンピュータプログラムを記憶するメモリと、を備え、
前記プロセッサは前記コンピュータプログラムを実行する場合、請求項１−５のいずれか一項に記載の方法のステップを実行するネットワーク装置。
【請求項２４】
端末装置であって、プロセッサと、プロセッサにおける実行可能なコンピュータプログラムを記憶するメモリと、を備え、
前記プロセッサは前記コンピュータプログラムを実行する場合、請求項６−１１のいずれか一項に記載の方法のステップを実行する端末装置。
【請求項２５】
コンピュータ記憶媒体であって、コンピュータ実行可能命令が記憶され、前記コンピュータ実行可能命令が実行される場合、請求項１−１１のいずれか一項に記載の方法のステップを実現するコンピュータ記憶媒体。
【発明の詳細な説明】
【技術分野】
【０００１】
本発明は情報処理の技術分野に関し、特にシステムブロードキャスト情報の指示方法、ネットワーク装置、端末装置及びコンピュータ記憶媒体に関する。
【背景技術】
【０００２】
ＮＲでは、システムブロードキャスト情報は、最小システム情報ＭＳＩ（ｍｉｎｉｍｕｍ  ｓｙｓｔｅｍ  ｉｎｆｏｒｍａｔｉｏｎ）及びその他のシステム情報（ＯＳＩ）（ｏｔｈｅｒ  ｓｙｓｔｅｍ  ｉｎｆｏｒｍａｔｉｏｎ）に分けられており、そのうち、ＯＳＩは、従来のように周期的にブロードキャストされるのではなく、ＵＥからの要求に基づいて、ネットワーク側から送信されている。ＵＥからの要求は、ランダムアクセスプロセスのＭＳＧ１又はＭＳＧ３によって、ネットワーク側にＯＳＩを要求する。
【０００３】
ＮＲでは、システムブロードキャストは全体としてマスター情報ブロック（ＭＩＢ）、及び残存最小システム情報（ＲＭＳＩ）、ＯＳＩに分けられる。しかしながら、端末装置は、状況に関係なくシステムブロードキャスト内の情報を受信するため、システム処理の柔軟性不足につながるだけでなく、端末装置が不要な情報を受信することによる電力消費の問題が深刻になる場合がある。
【発明の概要】
【発明が解決しようとする課題】
【０００４】
上記技術的問題を解決するために、本発明の実施例はシステムブロードキャスト情報の指示方法、ネットワーク装置、端末装置及びコンピュータ記憶媒体を提供する。
【課題を解決するための手段】
【０００５】
本発明の実施例はシステムブロードキャスト情報の指示方法を提供し、ネットワーク装置に適用され、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む。
【０００６】
本発明の実施例はシステムブロードキャスト情報の指示方法を提供し、端末装置に適用され、
ネットワーク側から送信されるページングメッセージを受信するステップと、
前記ページングメッセージから、前記少なくとも１種類のシステムブロードキャスト情報に関するシステムブロードキャスト情報変更指示を読み取るステップと、を含む。
【０００７】
本発明の実施例はネットワーク装置を提供し、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定する第１処理ユニットを備える。
【０００８】
本発明の実施例は端末装置を提供し、
ネットワーク側から送信されるページングメッセージを受信する第２通信ユニットと、
前記ページングメッセージから、前記少なくとも１種類のシステムブロードキャスト情報に関するシステムブロードキャスト情報変更指示を読み取る第２処理ユニットと、を備える。
【０００９】
本発明の実施例はネットワーク装置を提供し、プロセッサと、プロセッサにおける実行可能なコンピュータプログラムを記憶するメモリと、を備え、
前記プロセッサは前記コンピュータプログラムを実行する場合、前記方法のステップを実行する。
【００１０】
本発明の実施例は端末装置を提供し、プロセッサと、プロセッサにおける実行可能なコンピュータプログラムを記憶するメモリと、を備え、
前記プロセッサは前記コンピュータプログラムを実行する場合、前記方法のステップを実行する。
【００１１】
本発明の実施例はコンピュータ記憶媒体を提供し、前記コンピュータ記憶媒体にコンピュータ実行可能命令が記憶され、前記コンピュータ実行可能命令が実行される場合、前記方法のステップを実現する。
【発明の効果】
【００１２】
本発明の実施例の考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【図面の簡単な説明】
【００１３】
【図１】本発明の実施例に係るシステムブロードキャスト情報の指示方法の概略フローチャート１である。
【図２】本発明の実施例に係るシステムブロードキャスト情報の指示方法の概略フローチャート２である。
【図３】本発明の実施例におけるネットワーク装置の概略構成図である。
【図４】本発明の実施例における端末装置の概略構成図である。
【図５】本発明の実施例のハードウェアアーキテクチャ概略図である。
【発明を実施するための形態】
【００１４】
本発明の実施例の特徴及び技術的内容を詳しく理解するために、以下、図面を参照して本発明の実施例の実現を詳細説明し、添付図面は単に参考・説明用であり、本発明の実施例を限定するものではない。
【００１５】
実施例１
本発明の実施例はシステムブロードキャスト情報の指示方法を提供し、ネットワーク装置に適用され、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む。
【００１６】
なお、上記処理を実行する前、異なるシステムブロードキャスト情報に対応する変更指示を設定するステップをさらに含んでもよく、具体的には、本実施例に係る考案は図１に示されるように、
すべてのタイプのシステムブロードキャスト情報に対して、対応するシステムブロードキャスト情報変更指示を前記ページングメッセージに設定するステップ１０１と、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップ１０２と、を含む。
【００１７】
つまり、少なくとも２つのシステムブロードキャスト変更指示を予め定義する必要があり、即ち、マスターシステムブロードキャスト変更指示、及び他のシステムブロードキャスト変更指示である。
【００１８】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００１９】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００２０】
前記ＳＩＢのグループ構成情報はシステムブロードキャストによって構成される。具体的には、ＳＩＢのグループ構成情報は、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００２１】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００２２】
なお、前記少なくとも１種類のシステムブロードキャスト情報に関するシステムブロードキャスト情報変更指示は、１ｂｉｔであってもよく、ｂｉｔ＝１の場合、対応するシステムブロードキャスト情報がｔｕｒｅであると決定し、つまり、該システムブロードキャスト情報に変更が発生していることであり、該ｂｉｔ＝０の場合、対応するシステムブロードキャスト情報がｆａｌｓｅであると決定し、つまり、該システムブロードキャスト情報に変更が発生していないことである。
【００２３】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００２４】
実施例２
本発明の実施例はシステムブロードキャスト情報の指示方法を提供し、端末装置に適用され、図２に示されるように、
ネットワーク側から送信されるページングメッセージを受信するステップ２０１と、
前記ページングメッセージから、前記少なくとも１種類のシステムブロードキャスト情報に関するシステムブロードキャスト情報変更指示を読み取るステップ２０２と、を含む。
【００２５】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００２６】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００２７】
ここで、前記方法は、システムブロードキャストによってＳＩＢのグループ構成情報を取得するステップをさらに含む。具体的には、ＳＩＢのグループ構成情報は具体的には、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００２８】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００２９】
なお、前記少なくとも１種類のシステムブロードキャスト情報に関するシステムブロードキャスト情報変更指示は１ｂｉｔであってもよく、ｂｉｔ＝１の場合、対応するシステムブロードキャスト情報がｔｕｒｅであると決定し、つまり、該システムブロードキャスト情報に変更が発生していることであり、該ｂｉｔ＝０の場合、対応するシステムブロードキャスト情報がｆａｌｓｅであると決定し、つまり、該システムブロードキャスト情報に変更が発生していないことである。
【００３０】
前記した前記ページングメッセージから、前記少なくとも１種類のシステムブロードキャスト情報に関するシステムブロードキャスト情報変更指示を読み取った後に、前記方法は、
前記システムブロードキャスト情報変更指示に示されるシステムブロードキャスト情報が、前記端末装置が更新する必要があるシステムブロードキャスト情報である場合、システムブロードキャスト情報を再取得するステップをさらに含む。
【００３１】
具体的には、前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得せず、
前記システムブロードキャスト情報変更指示が、ＭＩＢ及びＲＭＳＩに関するマスターシステムブロードキャスト情報の変更指示に対応する場合、システムブロードキャスト情報を再取得する。
【００３２】
つまり、端末装置は、自身のページングメッセージを受信してネットワーク側のシステムブロードキャスト情報変更指示を取得し、システムブロードキャストの変更された情報が、ＵＥが更新する必要があるものである場合、ＵＥがシステムブロードキャスト情報を再取得するようにトリガーする。
【００３３】
例えば、ＯＳＩを記憶していない或いは取得する必要がないＵＥは、ＯＳＩが変更されたと判定する場合、新たなシステムブロードキャスト情報を取得しない。ＭＩＢ／ＲＭＳＩの更新を指示する場合、新たなシステムブロードキャスト情報を取得する必要がある。
【００３４】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００３５】
実施例３
本発明の実施例はネットワーク装置を提供し、図３に示されるように、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定する第１処理ユニット３１を備える。
【００３６】
なお、上記処理を実行する前、異なるシステムブロードキャスト情報に対応する変更指示を設定するステップをさらに含んでもよく、具体的には、本実施例に係る考案は図１に示されるように、
すべてのタイプのシステムブロードキャスト情報に対して、対応するシステムブロードキャスト情報変更指示を前記ページングメッセージに設定する第１処理ユニット３１を備え、
つまり、マスターシステムブロードキャスト変更指示、及び他のシステムブロードキャスト変更指示という少なくとも２つのシステムブロードキャスト変更指示を予め定義する必要がある。
【００３７】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００３８】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００３９】
前記ネットワーク装置は、
前記ＳＩＢのグループ構成情報が、システムブロードキャストによって構成される第１通信ユニット３２をさらに備える。
【００４０】
具体的には、ＳＩＢのグループ構成情報は具体的には、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００４１】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００４２】
なお、前記少なくとも１種類のシステムブロードキャスト情報に関するシステムブロードキャスト情報変更指示は１ｂｉｔであってもよく、ｂｉｔ＝１の場合、対応するシステムブロードキャスト情報がｔｕｒｅであると決定し、つまり、該システムブロードキャスト情報に変更が発生していることであり、該ｂｉｔ＝０の場合、対応するシステムブロードキャスト情報がｆａｌｓｅであると決定し、つまり、該システムブロードキャスト情報に変更が発生していないことである。
【００４３】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００４４】
実施例４
本発明の実施例は端末装置を提供し、図４に示されるように、
ネットワーク側から送信されるページングメッセージを受信する第２通信ユニット４１と、
前記ページングメッセージから、前記少なくとも１種類のシステムブロードキャスト情報に関するシステムブロードキャスト情報変更指示を読み取る第２処理ユニット４２と、を備える。
【００４５】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００４６】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００４７】
ここで、前記第２処理ユニット４２は、システムブロードキャストによってＳＩＢのグループ構成情報を取得する。具体的には、ＳＩＢのグループ構成情報は具体的には、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００４８】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００４９】
なお、前記少なくとも１種類のシステムブロードキャスト情報に関するシステムブロードキャスト情報変更指示は１ｂｉｔであってもよく、ｂｉｔ＝１の場合、対応するシステムブロードキャスト情報がｔｕｒｅであると決定し、つまり、該システムブロードキャスト情報に変更が発生していることであり、該ｂｉｔ＝０の場合、対応するシステムブロードキャスト情報がｆａｌｓｅであると決定し、つまり、該システムブロードキャスト情報に変更が発生していないことである。
【００５０】
前記した前記ページングメッセージから、前記少なくとも１種類のシステムブロードキャスト情報に関するシステムブロードキャスト情報変更指示を読み取った後に、前記方法は、
第２処理ユニット４２は、前記システムブロードキャスト情報変更指示に示されるシステムブロードキャスト情報が、前記端末装置が更新する必要があるシステムブロードキャスト情報である場合、システムブロードキャスト情報を再取得するステップをさらに含む。
【００５１】
具体的には、第２処理ユニット４２は、前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得せず、
前記システムブロードキャスト情報変更指示が、ＭＩＢ及びＲＭＳＩに関するマスターシステムブロードキャスト情報の変更指示に対応する場合、システムブロードキャスト情報を再取得する。
【００５２】
つまり、端末装置は自身のページングメッセージを受信してネットワーク側のシステムブロードキャスト情報変更指示を取得し、システムブロードキャストの変更された情報が、ＵＥが更新する必要があるものである場合、ＵＥがシステムブロードキャスト情報を再取得するようにトリガーする。
【００５３】
例えば、ＯＳＩを記憶していない或いは取得する必要がないＵＥは、ＯＳＩが変更されたと判定する場合、新たなシステムブロードキャスト情報を取得しない。ＭＩＢ／ＲＭＳＩの更新を指示する場合、新たなシステムブロードキャスト情報を取得する必要がある。
【００５４】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００５５】
本発明の実施例は端末装置又はネットワーク装置のハードウェアアーキテクチャをさらに提供し、図５に示されるように、少なくとも１つのプロセッサ５１、メモリ５２、及び少なくとも１つのネットワークインターフェース５３を備える。各要素はバスシステム５４によって結合される。なお、バスシステム５４はこれらの要素間の接続通信を実現する。バスシステム５４はデータバスに加えて、電源バス、制御バス及び状態信号バスをさらに含む。説明の明瞭さから、図５では、様々なバスをバスシステム５４と記す。
【００５６】
なお、本発明の実施例におけるメモリ５２は揮発性メモリ又は不揮発性メモリであり、又は揮発性及び不揮発性メモリの両方を含む。
【００５７】
いくつかの実施形態では、メモリ５２は、実行可能モジュール又はデータ構造、又はそれらのサブセット、又はそれらの拡張セットと、
オペレーティングシステム５２１及びアプリケーションプログラム５２２と、を記憶する。
【００５８】
前記プロセッサ５１は、前記実施例１又は２に記載の方法のステップを処理できるように構成され、ここでは詳細説明を省略する。
【００５９】
本発明の実施例はコンピュータ記憶媒体を提供し、前記コンピュータ記憶媒体にコンピュータ実行可能命令が記憶され、前記コンピュータ実行可能命令が実行される場合、前記実施例１又は２に記載の方法のステップを実施する。
【００６０】
本発明の実施例における上記装置はソフトウェア機能モジュールの形態で実現され且つ独立した製品として販売又は使用される場合、コンピュータ可読記憶媒体に記憶されてもよい。このような理解に基づき、本発明の実施例の考案は本質的に又は従来技術に貢献する部分はソフトウェア製品の形態で実施され得て、該コンピュータソフトウェア製品は記憶媒体に記憶され、コンピュータ装置（パーソナルコンピュータ、サーバ、又はネットワーク装置等）に本発明の各実施例に係る方法の全て又は一部を実行させるための複数の命令を含む。上記記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスクなどプロクラムコードを記憶可能な種々の媒体を含む。このように、本発明の実施例は特定のハードウェアとソフトウェアの組合せに限定されない。
【００６１】
それに対応して、本発明の実施例はコンピュータ記憶媒体をさらに提供し、本発明の実施例におけるデータスケジューリング方法を実行するためのコンピュータプログラムが記憶される。
【００６２】
例示の目的から本発明の好適実施例を開示したが、当業者であれば、種々の改良、追加や置換を行うことができ、従って、本発明の範囲は上記実施例に限定されるものではないと理解できる。
【図１】
2021516470.tif 000003
【図２】
2021516470.tif 000004
【図３】
2021516470.tif 000005
【図４】
2021516470.tif 000006
【図５】
2021516470.tif 000007
【手続補正書】
【提出日】令和2年12月18日(2020.12.18)
【手続補正１】
【補正対象書類名】明細書
【補正対象項目名】全文
【補正方法】変更
【補正の内容】
【発明の詳細な説明】
【技術分野】
【０００１】
本発明は情報処理の技術分野に関し、特にシステムブロードキャスト情報の指示方法、ネットワーク装置、端末装置及びコンピュータ記憶媒体に関する。
【背景技術】
【０００２】
ＮＲでは、システムブロードキャスト情報は、最小システム情報ＭＳＩ（ｍｉｎｉｍｕｍ  ｓｙｓｔｅｍ  ｉｎｆｏｒｍａｔｉｏｎ）及びその他のシステム情報（ＯＳＩ）（ｏｔｈｅｒ  ｓｙｓｔｅｍ  ｉｎｆｏｒｍａｔｉｏｎ）に分けられており、そのうち、ＯＳＩは、従来のように周期的にブロードキャストされるのではなく、ＵＥからの要求に基づいて、ネットワーク側から送信されている。ＵＥからの要求は、ランダムアクセスプロセスのＭＳＧ１又はＭＳＧ３によって、ネットワーク側にＯＳＩを要求する。
【０００３】
ＮＲでは、システムブロードキャストは全体としてマスター情報ブロック（ＭＩＢ）、及び残存最小システム情報（ＲＭＳＩ）、ＯＳＩに分けられる。しかしながら、端末装置は、状況に関係なくシステムブロードキャスト内の情報を受信するため、システム処理の柔軟性不足につながるだけでなく、端末装置が不要な情報を受信することによる電力消費の問題が深刻になる場合がある。
【発明の概要】
【発明が解決しようとする課題】
【０００４】
上記技術的問題を解決するために、本発明の実施例はシステムブロードキャスト情報の指示方法、ネットワーク装置、端末装置及びコンピュータ記憶媒体を提供する。
【課題を解決するための手段】
【０００５】
本発明の実施例はシステムブロードキャスト情報の指示方法を提供し、ネットワーク装置に適用され、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む。
【０００６】
本発明の実施例はシステムブロードキャスト情報の指示方法を提供し、端末装置に適用され、
ネットワーク側から送信されるページングメッセージを受信するステップと、
前記ページングメッセージから、前記少なくとも１種類のシステムブロードキャスト情報に関するシステムブロードキャスト情報変更指示を読み取るステップと、を含む。
【０００７】
本発明の実施例はネットワーク装置を提供し、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定する第１処理ユニットを備える。
【０００８】
本発明の実施例は端末装置を提供し、
ネットワーク側から送信されるページングメッセージを受信する第２通信ユニットと、
前記ページングメッセージから、前記少なくとも１種類のシステムブロードキャスト情報に関するシステムブロードキャスト情報変更指示を読み取る第２処理ユニットと、を備える。
【０００９】
本発明の実施例はネットワーク装置を提供し、プロセッサと、プロセッサにおける実行可能なコンピュータプログラムを記憶するメモリと、を備え、
前記プロセッサは前記コンピュータプログラムを実行する場合、前記方法のステップを実行する。
【００１０】
本発明の実施例は端末装置を提供し、プロセッサと、プロセッサにおける実行可能なコンピュータプログラムを記憶するメモリと、を備え、
前記プロセッサは前記コンピュータプログラムを実行する場合、前記方法のステップを実行する。
【００１１】
本発明の実施例はコンピュータ記憶媒体を提供し、前記コンピュータ記憶媒体にコンピュータ実行可能命令が記憶され、前記コンピュータ実行可能命令が実行される場合、前記方法のステップを実現する。
【発明の効果】
【００１２】
本発明の実施例の考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【図面の簡単な説明】
【００１３】
【図１】本発明の実施例に係るシステムブロードキャスト情報の指示方法の概略フローチャート１である。
【図２】本発明の実施例に係るシステムブロードキャスト情報の指示方法の概略フローチャート２である。
【図３】本発明の実施例におけるネットワーク装置の概略構成図である。
【図４】本発明の実施例における端末装置の概略構成図である。
【図５】本発明の実施例のハードウェアアーキテクチャ概略図である。
【発明を実施するための形態】
【００１４】
本発明の実施例の特徴及び技術的内容を詳しく理解するために、以下、図面を参照して本発明の実施例の実現を詳細説明し、添付図面は単に参考・説明用であり、本発明の実施例を限定するものではない。
【００１５】
実施例１
本発明の実施例はシステムブロードキャスト情報の指示方法を提供し、ネットワーク装置に適用され、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む。
【００１６】
なお、上記処理を実行する前、異なるシステムブロードキャスト情報に対応する変更指示を設定するステップをさらに含んでもよく、具体的には、本実施例に係る考案は図１に示されるように、
すべてのタイプのシステムブロードキャスト情報に対して、対応するシステムブロードキャスト情報変更指示を前記ページングメッセージに設定するステップ１０１と、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップ１０２と、を含む。
【００１７】
つまり、少なくとも２つのシステムブロードキャスト変更指示を予め定義する必要があり、即ち、マスターシステムブロードキャスト変更指示、及び他のシステムブロードキャスト変更指示である。
【００１８】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００１９】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００２０】
前記ＳＩＢのグループ構成情報はシステムブロードキャストによって構成される。具体的には、ＳＩＢのグループ構成情報は、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００２１】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００２２】
なお、前記少なくとも１種類のシステムブロードキャスト情報に関するシステムブロードキャスト情報変更指示は、１ｂｉｔであってもよく、ｂｉｔ＝１の場合、対応するシステムブロードキャスト情報変更指示がｔｕｒｅであると決定し、つまり、該システムブロードキャスト情報に変更が発生していることであり、該ｂｉｔ＝０の場合、対応するシステムブロードキャスト情報変更指示がｆａｌｓｅであると決定し、つまり、該システムブロードキャスト情報に変更が発生していないことである。
【００２３】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００２４】
実施例２
本発明の実施例はシステムブロードキャスト情報の指示方法を提供し、端末装置に適用され、図２に示されるように、
ネットワーク側から送信されるページングメッセージを受信するステップ２０１と、
前記ページングメッセージから、前記少なくとも１種類のシステムブロードキャスト情報に関するシステムブロードキャスト情報変更指示を読み取るステップ２０２と、を含む。
【００２５】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００２６】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００２７】
ここで、前記方法は、システムブロードキャストによってＳＩＢのグループ構成情報を取得するステップをさらに含む。具体的には、ＳＩＢのグループ構成情報は具体的には、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００２８】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００２９】
なお、前記少なくとも１種類のシステムブロードキャスト情報に関するシステムブロードキャスト情報変更指示は１ｂｉｔであってもよく、ｂｉｔ＝１の場合、対応するシステムブロードキャスト情報変更指示がｔｕｒｅであると決定し、つまり、該システムブロードキャスト情報に変更が発生していることであり、該ｂｉｔ＝０の場合、対応するシステムブロードキャスト情報変更指示がｆａｌｓｅであると決定し、つまり、該システムブロードキャスト情報に変更が発生していないことである。
【００３０】
前記した前記ページングメッセージから、前記少なくとも１種類のシステムブロードキャスト情報に関するシステムブロードキャスト情報変更指示を読み取った後に、前記方法は、
前記システムブロードキャスト情報変更指示に示されるシステムブロードキャスト情報が、前記端末装置が更新する必要があるシステムブロードキャスト情報である場合、システムブロードキャスト情報を再取得するステップをさらに含む。
【００３１】
具体的には、前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得せず、
前記システムブロードキャスト情報変更指示が、ＭＩＢ及びＲＭＳＩに関するマスターシステムブロードキャスト情報の変更指示に対応する場合、システムブロードキャスト情報を再取得する。
【００３２】
つまり、端末装置は、自身のページングメッセージを受信してネットワーク側のシステムブロードキャスト情報変更指示を取得し、システムブロードキャストの変更された情報が、ＵＥが更新する必要があるものである場合、ＵＥがシステムブロードキャスト情報を再取得するようにトリガーする。
【００３３】
例えば、ＯＳＩを記憶していない或いは取得する必要がないＵＥは、ＯＳＩが変更されたと判定する場合、新たなシステムブロードキャスト情報を取得しない。ＭＩＢ／ＲＭＳＩの更新を指示する場合、新たなシステムブロードキャスト情報を取得する必要がある。
【００３４】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００３５】
実施例３
本発明の実施例はネットワーク装置を提供し、図３に示されるように、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定する第１処理ユニット３１を備える。
【００３６】
なお、上記処理を実行する前、異なるシステムブロードキャスト情報に対応する変更指示を設定するステップをさらに含んでもよく、具体的には、本実施例に係る考案は図１に示されるように、
すべてのタイプのシステムブロードキャスト情報に対して、対応するシステムブロードキャスト情報変更指示を前記ページングメッセージに設定する第１処理ユニット３１を備え、
つまり、マスターシステムブロードキャスト変更指示、及び他のシステムブロードキャスト変更指示という少なくとも２つのシステムブロードキャスト変更指示を予め定義する必要がある。
【００３７】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００３８】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００３９】
前記ネットワーク装置は、
前記ＳＩＢのグループ構成情報が、システムブロードキャストによって構成される第１通信ユニット３２をさらに備える。
【００４０】
具体的には、ＳＩＢのグループ構成情報は具体的には、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００４１】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００４２】
なお、前記少なくとも１種類のシステムブロードキャスト情報に関するシステムブロードキャスト情報変更指示は１ｂｉｔであってもよく、ｂｉｔ＝１の場合、対応するシステムブロードキャスト情報変更指示がｔｕｒｅであると決定し、つまり、該システムブロードキャスト情報に変更が発生していることであり、該ｂｉｔ＝０の場合、対応するシステムブロードキャスト情報変更指示がｆａｌｓｅであると決定し、つまり、該システムブロードキャスト情報に変更が発生していないことである。
【００４３】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００４４】
実施例４
本発明の実施例は端末装置を提供し、図４に示されるように、
ネットワーク側から送信されるページングメッセージを受信する第２通信ユニット４１と、
前記ページングメッセージから、前記少なくとも１種類のシステムブロードキャスト情報に関するシステムブロードキャスト情報変更指示を読み取る第２処理ユニット４２と、を備える。
【００４５】
具体的には、前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む。ＭＩＢ及びＲＭＳＩに関するマスターシステムブロードキャスト情報の変更指示は、システム内のＭＩＢ及びＲＭＳＩシステムブロードキャストの変更を指示し、その他のシステム情報（ＯＳＩ）に関するその他のシステムブロードキャスト情報の変更指示は、システム内のＯＳＩシステムブロードキャストの変更を指示する。
【００４６】
さらに、前記システムブロードキャスト情報変更指示は、少なくとも１つのＳＩＢグループに対応するシステムブロードキャスト情報の変更指示をさらに含んでもよい。即ち、本実施例に係る考案は、ＳＩＢグループに応じて、複数のシステムブロードキャスト変更指示を定義してもよい。
【００４７】
ここで、前記第２処理ユニット４２は、システムブロードキャストによってＳＩＢのグループ構成情報を取得する。具体的には、ＳＩＢのグループ構成情報は具体的には、各ＳＩＢグループに含まれるＳＩＢを含んでもよく、また、前記ＳＩＢのグループ構成情報は、異なるＳＩＢグループに対応するシステムブロードキャスト情報の変更指示によって、ページングメッセージ内においてそれぞれ占用されるｂｉｔをさらに含んでもよい。
【００４８】
ネットワーク側のシステムブロードキャスト情報に変更が発生した場合、ネットワーク側が、システムブロードキャストの変更された具体的な情報ブロックに応じて、システムブロードキャスト変更指示をページングメッセージに追加する。
【００４９】
なお、前記少なくとも１種類のシステムブロードキャスト情報に関するシステムブロードキャスト情報変更指示は１ｂｉｔであってもよく、ｂｉｔ＝１の場合、対応するシステムブロードキャスト情報変更指示がｔｕｒｅであると決定し、つまり、該システムブロードキャスト情報に変更が発生していることであり、該ｂｉｔ＝０の場合、対応するシステムブロードキャスト情報変更指示がｆａｌｓｅであると決定し、つまり、該システムブロードキャスト情報に変更が発生していないことである。
【００５０】
前記した前記ページングメッセージから、前記少なくとも１種類のシステムブロードキャスト情報に関するシステムブロードキャスト情報変更指示を読み取った後に、前記方法は、
第２処理ユニット４２は、前記システムブロードキャスト情報変更指示に示されるシステムブロードキャスト情報が、前記端末装置が更新する必要があるシステムブロードキャスト情報である場合、システムブロードキャスト情報を再取得するステップをさらに含む。
【００５１】
具体的には、第２処理ユニット４２は、前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得せず、
前記システムブロードキャスト情報変更指示が、ＭＩＢ及びＲＭＳＩに関するマスターシステムブロードキャスト情報の変更指示に対応する場合、システムブロードキャスト情報を再取得する。
【００５２】
つまり、端末装置は自身のページングメッセージを受信してネットワーク側のシステムブロードキャスト情報変更指示を取得し、システムブロードキャストの変更された情報が、ＵＥが更新する必要があるものである場合、ＵＥがシステムブロードキャスト情報を再取得するようにトリガーする。
【００５３】
例えば、ＯＳＩを記憶していない或いは取得する必要がないＵＥは、ＯＳＩが変更されたと判定する場合、新たなシステムブロードキャスト情報を取得しない。ＭＩＢ／ＲＭＳＩの更新を指示する場合、新たなシステムブロードキャスト情報を取得する必要がある。
【００５４】
以上からわかるように、上記考案によれば、システムブロードキャスト情報に変更が発生した場合、ページングメッセージによってシステムブロードキャスト情報変更指示を送信するとともに、システムブロードキャスト情報の内容に応じて分類し、種類に従って、システムブロードキャスト変更の有無をそれぞれ指示することができる。このようにして、ページングメッセージを受信する端末装置は、そのシステムブロードキャスト情報の取得需要に応じてシステムブロードキャスト情報の再取得を選択することができ、それによってシステムの柔軟性を向上させ、端末装置の電力を節約する目的が達成できる。
【００５５】
本発明の実施例は端末装置又はネットワーク装置のハードウェアアーキテクチャをさらに提供し、図５に示されるように、少なくとも１つのプロセッサ５１、メモリ５２、及び少なくとも１つのネットワークインターフェース５３を備える。各要素はバスシステム５４によって結合される。なお、バスシステム５４はこれらの要素間の接続通信を実現する。バスシステム５４はデータバスに加えて、電源バス、制御バス及び状態信号バスをさらに含む。説明の明瞭さから、図５では、様々なバスをバスシステム５４と記す。
【００５６】
なお、本発明の実施例におけるメモリ５２は揮発性メモリ又は不揮発性メモリであり、又は揮発性及び不揮発性メモリの両方を含む。
【００５７】
いくつかの実施形態では、メモリ５２は、実行可能モジュール又はデータ構造、又はそれらのサブセット、又はそれらの拡張セットと、
オペレーティングシステム５２１及びアプリケーションプログラム５２２と、を記憶する。
【００５８】
前記プロセッサ５１は、前記実施例１又は２に記載の方法のステップを処理できるように構成され、ここでは詳細説明を省略する。
【００５９】
本発明の実施例はコンピュータ記憶媒体を提供し、前記コンピュータ記憶媒体にコンピュータ実行可能命令が記憶され、前記コンピュータ実行可能命令が実行される場合、前記実施例１又は２に記載の方法のステップを実施する。
【００６０】
本発明の実施例における上記装置はソフトウェア機能モジュールの形態で実現され且つ独立した製品として販売又は使用される場合、コンピュータ可読記憶媒体に記憶されてもよい。このような理解に基づき、本発明の実施例の考案は本質的に又は従来技術に貢献する部分はソフトウェア製品の形態で実施され得て、該コンピュータソフトウェア製品は記憶媒体に記憶され、コンピュータ装置（パーソナルコンピュータ、サーバ、又はネットワーク装置等）に本発明の各実施例に係る方法の全て又は一部を実行させるための複数の命令を含む。上記記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスクなどプロクラムコードを記憶可能な種々の媒体を含む。このように、本発明の実施例は特定のハードウェアとソフトウェアの組合せに限定されない。
【００６１】
それに対応して、本発明の実施例はコンピュータ記憶媒体をさらに提供し、本発明の実施例におけるデータスケジューリング方法を実行するためのコンピュータプログラムが記憶される。
【００６２】
例示の目的から本発明の好適実施例を開示したが、当業者であれば、種々の改良、追加や置換を行うことができ、従って、本発明の範囲は上記実施例に限定されるものではないと理解できる。
【手続補正２】
【補正対象書類名】特許請求の範囲
【補正対象項目名】全文
【補正方法】変更
【補正の内容】
【特許請求の範囲】
【請求項１】
ネットワーク装置に適用されるシステムブロードキャスト情報の指示方法であって、
システムブロードキャスト情報に変更が発生した場合、変更が発生した前記システムブロードキャスト情報に基づいて、少なくとも１種類のシステムブロードキャスト情報に関するシステムブロードキャスト情報変更指示をページングメッセージに設定するステップを含む方法。
【請求項２】
前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む請求項１に記載の方法。
【請求項３】
前記システムブロードキャスト情報変更指示は、
少なくとも１つのＳＩＢグループに対応するシステムブロードキャスト情報の変更指示を含む請求項１に記載の方法。
【請求項４】
前記ＳＩＢのグループ構成情報が、システムブロードキャストによって構成されるステップをさらに含む請求項３に記載の方法。
【請求項５】
すべてのタイプのシステムブロードキャスト情報に対して、対応するシステムブロードキャスト情報変更指示を前記ページングメッセージに設定するステップをさらに含む請求項３に記載の方法。
【請求項６】
端末装置に適用されるシステムブロードキャスト情報の指示方法であって、
ネットワーク側から送信されるページングメッセージを受信するステップと、
前記ページングメッセージから、前記少なくとも１種類のシステムブロードキャスト情報に関するシステムブロードキャスト情報変更指示を読み取るステップと、を含む方法。
【請求項７】
前記した前記ページングメッセージから、前記少なくとも１種類のシステムブロードキャスト情報に関するシステムブロードキャスト情報変更指示を読み取った後に、
前記システムブロードキャスト情報変更指示に示されるシステムブロードキャスト情報が、前記端末装置が更新する必要があるシステムブロードキャスト情報である場合、システムブロードキャスト情報を再取得するステップをさらに含む請求項６に記載の方法。
【請求項８】
前記システムブロードキャスト情報変更指示は、ＭＩＢ及びＲＭＳＩに関するマスターシステムブロードキャスト情報の変更指示、及び／又は、その他のシステム情報（ＯＳＩ）に関するその他のシステムブロードキャスト情報の変更指示を含む請求項７に記載の方法。
【請求項９】
前記システムブロードキャスト情報変更指示は、
少なくとも１つのＳＩＢグループに対応するシステムブロードキャスト情報の変更指示を含む請求項７に記載の方法。
【請求項１０】
システムブロードキャストによってＳＩＢのグループ構成情報を取得するステップをさらに含む請求項９に記載の方法。
【請求項１１】
前記した前記ページングメッセージから、前記少なくとも１種類のシステムブロードキャスト情報に関するシステムブロードキャスト情報変更指示を読み取った後に、
前記システムブロードキャスト情報変更指示が、その他のシステム情報（ＯＳＩ）に関するその他のシステムブロードキャスト情報の変更指示に対応する場合、別のシステム情報を取得する必要があるか否かを判断し、別のシステム情報を取得する必要がない場合、システムブロードキャスト情報を再取得しないステップと、
前記システムブロードキャスト情報変更指示が、ＭＩＢ及びＲＭＳＩに関するマスターシステムブロードキャスト情報の変更指示に対応する場合、システムブロードキャスト情報を再取得するステップと、をさらに含む請求項６に記載の方法。
【請求項１２】
前記ＳＩＢのグループ構成情報は
各ＳＩＢグループに含まれるＳＩＢ、又は、
異なるＳＩＢグループに対応するシステムブロードキャスト情報の変更指示によって、ページングメッセージ内においてそれぞれ占用されるビットを含む、
請求項１０に記載の方法。
【請求項１３】
ネットワーク装置であって、請求項１−５のいずれか一項に記載のシステムブロードキャスト情報の指示方法を実現するように構成される、
ネットワーク装置。
【請求項１４】
端末装置であって、請求項６−１２のいずれか一項に記載のシステムブロードキャスト情報の指示方法を実現するように構成される、
端末装置。
【請求項１５】
コンピュータ記憶媒体であって、コンピュータ実行可能命令が記憶され、前記コンピュータ実行可能命令が実行される場合、請求項１−１２のいずれか一項に記載の方法のステップを実現するコンピュータ記憶媒体。
【国際調査報告】
2021516470.tif 000008
2021516470.tif 000009
2021516470.tif 000010
2021516470.tif 000011